Podtech/llm-jp-corpus-v4-ja_patent huggingface dataset:
(57)【要約】【課題】  暗渠排水用素焼土管のずれ防止と排水効果の向上の機能を持たせた、ずれ防止ソケットを提供する。【解決手段】暗渠排水用素焼土管（１）と暗渠排水用素焼土管（２）の接合部に、ずれ防止ソケット（３）を被せる。ストッパーにより、ソケットのずれを防止し、内壁の突線により、排水効果を高める。素焼土管と同じ素材を用いる事により、ソケットの曲がりを抑え、自然環境に優しい資材とする。【選択図】  図４
2006274781.tif 000002
【特許請求の範囲】
【請求項１】
暗渠排水用素焼土管（１）と暗渠排水用素焼土管（２）の接合部に被せて使用する、ずれ防止ソケット（３）
【発明の詳細な説明】
【発明の詳細な説明】
【技術分野】
【００１】    この発明は、農業用暗渠排水用素焼土管に、ずれ防止機能を持たせるソケット部品に関するものである。
【背景技術】
【００２】    従来、暗渠排水用素焼土管の接合接ぎ手は、合成樹脂等の円筒形のものが考案されていた。
【発明が解決しようとする課題】
【００３】    そのために、次のような欠点があった。
（イ）ソケット本体がずれて、ソケットとしての機能をはたせなくなる可能性がある。
（ロ）素材上の特性から、環境面で悪影響を及ぼす可能性がある。
（ハ）素材上の特性から、曲がり、変形がおきやすく排水不良を起こす可能性がある。
【課題を解決するための手段】
【００４】  （イ）外壁から内壁へ貫通する２カ所の孔にストッパーを通す事により、ソケットのずれを防止し、施工しやすくする。
（ロ）ソケット内壁に突線を３カ所設けることにより、排水効果を高めている。
（ハ）素焼土管と同じ素材を用いる事により、曲がりに強く、環境に優しい資材となる。
暗渠排水用素焼土管（１）と暗渠排水用素焼土管（２）の接合部に、ずれ防止ソケット（３）を被せる。
本発明は、以上の構成からなる暗渠排水用素焼土管ずれ防止ソケットである。
【発明を実施するための最良の形態】
【００５】  以下、本発明の実施の形態について説明する。
（イ）暗渠排水用素焼土管（１）を設置する。
（ロ）暗渠排水用素焼土管（１）の接合部にずれ防止ソケット（３）を被せる。
（ハ）設置された暗渠排水用素焼土管（１）と、ずれ防止ソケット（３）に暗渠排水用素焼土管（２）を接続する。
本発明は、以上のような構造でこれを使用する時は、暗渠排水用素焼土管（１）と暗渠排水用素焼土管（２）の接合部のずれを防ぎ、素焼土管と同じ素材を用いる事と、ストッパー（４）の使用により、ずれ防止ソケット（３）のずれ・曲がりを防ぐものである。
【発明の効果】
【００６】  ストッパーを使用することにより、地殻変動等によるずれ・曲がりを防止することができる。また、素焼土管と同じ素材を用いることにより、自然環境に優しく、内部に施された突線による空隙から排水効果を高める効果がある。
【図面の簡単な説明】
【図１】  本発明の正面図
【図２】  本発明の側面図
【図３】  本発明の斜視図
【図４】  本発明の実施例図
【符号の説明】
（１）暗渠排水用素焼土管
（２）暗渠排水用素焼土管
（３）ずれ防止ソケット
（４）ストッパー
【図１】
2006274781.tif 000003
【図２】
2006274781.tif 000004
【図３】
2006274781.tif 000005
【図４】
2006274781.tif 000006
(57)【要約】【課題】  従来から其の名の由来のように蝶の羽から（二枚羽の蝶つがい）ではあるが、時として、重量物体の支えや連結用としては、弱点もあり、【解決手段】  破格ではあるが、二枚を三枚の羽に増やし、本発明では、意匠登録に記した名称をそのままに請求項１の（イ）三枚羽蝶番及び超重量級物体を支える一助になるよう強化した請求項１の（ロ）変形蝶番の方法・仕様に辿りついた。【選択図】  図２
2006274777.tif 000002
【特許請求の範囲】
【請求項１】
〔イ〕  従来の二枚羽の蝶番に、本発明においては、更に一枚を加え三枚羽蝶番及び変形蝶番の作製意図・方法・構成並びに使用方法等に関するものであり、大型の家具・調度の地震時の転倒防止用に相互連結用、金具として、超重量級の筐体・門扉（甲）等を支える連結金具又、取り付ける側の木質・金属・合成樹脂・発泡コンクリート製支柱・ドア枠・壁柱（乙）に負荷を分散軽減し、開閉頻度による金属疲労・重量によるバランスの偏りからの開閉の不具合、木質部等の破壊・劣化を防ぐ方法として、本件、蝶番の釘孔五個の内の二乃至三箇に専用「長目釘」を用いる方法により容易に取りはずせないこと、資源保護の面からも耐久性を主目的とした重量物連結用三枚羽蝶番・変形蝶番で、
〔ロ〕  関連の変形蝶番においては、更に強度を高める為に三枚羽蝶番の三枚羽の二枚を要部分から直角に折り曲げ（横断面図は９０度Ｌ字形または、９０度二等辺金型）要に一枚羽を加えた仕様としたものであり、取り付ける際は、取り付け側の角度９０度の支柱・ドア枠・壁柱（乙）と超重量級の筐体・扉（甲）に交互に釘打ち設置、最後に（甲）（乙）を連結し完成する変形蝶番で、
〔ハ〕  上記発明に付加価値を高めるものの一つとして、蝶番表面部に上下無用の浮き彫り模様を、一例として門扉や調度品等には文様の代わりに家紋を施すことも可能とした〔イ〕〔ロ〕〔ハ〕以上の方法・構成からなる重量物連結用三枚羽蝶番・変形蝶番。
【発明の詳細な説明】
【発明の詳細な説明】
【技術分野】
【０００１】  本発明は、耐久性を保つための重量級扉・筐体（甲）等と取り付け側（乙）双方の負荷を分散・軽減と、家具・調度等の地震時の転倒防止用、固定・連結に用いる金具、蝶番に関するものである。
【背景技術】
【０００２】  蝶番の強度によっては、扉がずれ開閉が不具合になったり、外れ落ちてしまい修復できないこともあった。
【発明が解決しようとする課題】
【０００３】  重量級の扉等の重さに扉側（甲）の蝶番にも、取り付けている側の支柱・ドア枠（乙）等へも過重の負荷が、連結用の僅かな多くても数個の蝶番にかかってしまい、例えば、本体は未だ新しいのに蝶番自体の金属疲労で弛みがきてドアを持ち上げないと閉まらないこともあったり、倒れてきて危うく下敷きになりそうな身の危険を感じることもあり又、取り付け側の支柱・ドア枠（乙）の蝶番が、開閉操作の頻度により木質部を破損その他の劣化を早めることが多かった。
【課題を解決するための手段】
【０００４】  本発明は、（イ）蝶番の強度を高めることに着目、二枚羽に一枚を加えて三枚羽とし或は，Ｌ字型等に三枚羽のうちの二枚をつなげたまま直角に折り曲げ、要部にのこりの一枚を加えた変形蝶番（ロ）とし、木質部（角材）等への取り付けには、通常のネジ釘に長目釘を要所々々に用いることにより負荷の分散・軽減、劣化を防ぐ方法を提供することにより上記課題を解決したものである。
【実施麗】
【０００５】  三枚羽・変形蝶番には（図１）に示されるように三枚羽蝶番を介して扉や重量級の筐体（甲）取り付ける側の、金属・合成樹脂・壁柱・発泡コンクリ−ト製の支柱・ドア枠・壁柱（乙）を連結するもので、
【０００６】  変形蝶番においては更に超重量級の門扉・大型電気製品・筐体（甲）と、取り付ける側（乙）の双方とも９０度の角材・角柱部に（図２）に示すような要所々々に長目釘にて設置固定し、
【０００７】  三枚羽蝶番及び変形蝶番において、門扉・門扉枠に施した三枚羽・変形蝶番の表にでる面に、家紋・模様等、家具・調度に浮き・透かし・け彫りを施すことで華やいだ小さなインテリアにすることができる。
【発明の効果】
【０００８】  以上のように、請求項１（イ）（ロ）（ハ）記載の発明によれば、地震対策として家具を柱に取り付けようとして高級マンション等柱・鴨居・壁柱等への釘打ちを断られても、本発明の蝶番（イ）（ロ）２件を用いることで家の構築物には、いっさい釘孔を開けずに、家具と家具の双方を該蝶番にて、Ｌ字型に連結固定することにより、転倒を防ぐこともでき、図２の超重量級の扉・門扉・筐体（甲）又、取り付ける側の・合成樹脂・金属・木材・発泡コンクリ−ト製、支柱・ドア枠・壁柱（乙）等への過重にかかる負荷の分散・軽減で長持ちでき、資源の無駄を省き装飾も施せ惹いては身の安全も保つことができる。
【図面の簡単な説明】
【図１】  本発明に係る三枚羽蝶番の構成を示す表面の外観図である。
【図２】  変形蝶番で長目釘を示した２等辺９０°角の斜視図である。
【図３】  変形蝶番・長目釘等使用方法の説明入り平面図である。
【図４】  請求項１（イ）、（ロ）の各蝶番の
【甲】
【乙】
を両物体に交互に取り付ける方法説明の参考図である。
【符号の説明】
１・・・三枚羽蝶番
２・・・変形蝶番
３・・・長目・小ネジ釘孔
４・・・要
５・・・変形蝶番９０°「Ｌ字型」２等辺部
６・・・長目・小ネジ釘
７・・・扉又は９０°角筐体、支柱・ドア枠
８・・・変形蝶番要
【図１】
2006274777.tif 000003
【図２】
2006274777.tif 000004
【図３】
2006274777.tif 000005
【図４】
2006274777.tif 000006
(57)【要約】      （修正有）【課題】  従来できなかった足場板の階段状架設が可能な脚立を提供する。【解決手段】  鋼管又はアルミパイプで、片側よりスライド脚２の中段及び、下段部が挿入できる脚立本体１を左右対称につくり、最上部外側へ組立てを兼ねた蝶番を個々に取付け、中段下面へスライド脚２の固定蝶捻子用ナットをつける、下段中央寄りには開閉保持金具の振れ止めをつけ、製作した開閉保持金具を、脚立本体１の下段部へ振れ止め位置まで個々にはめ込む、反対側へ振れ止めをつけ保持金具の移動防止をする、次に、本体と同材質でスライド脚２を左右対称につくり、脚立本体１の中段部と下段部へ、スライド脚２の中段部及び下段部を挿入して、脚立本体１中段部に設けた固定蝶捻子用ナットに蝶捻子を組立て、スライド脚２を固定する、同時に、脚立本体１上部に設けた蝶番を個々に合わせ丸鋲にて組立て、蝶捻子操作により容易に脚部を拡張できる。【選択図】  図６
2006274779.tif 000002
【特許請求の範囲】
【請求項１】
鋼管及び、アルミパイプ製脚立の、中段から下部の脚部を拡張できるようにした、スライド脚立。
【発明の詳細な説明】
【技術分野】
【０００１】本発明は、脚立中段部分より下部をスライド拡張できる構造として、建設現場等の天井はり作業若しくは、内外壁作業時の利便性と、安全性について発明されたものである。
【背景技術】
【０００２】従来の脚立は、工事施行時に脚立間どうしへ足場板を架設した場合、脚部の幅が限定されていたため、足場板を階段状に架設するには不向きであり、足場板を架設した状態で脚立より上り下りする場合、足場板が邪魔をして転倒する危険性を含んでいた、また、建設現場等での利便性を目的に、脚立天板部分が上下降をして資材を支える構造のもの（例えば、特許文献１参照）或いは、不整地の安全使用を目的に、脚部が上下に伸縮調整できるものがある、（例えば、非特許文献１参照）本発明は、脚部が横方向へ拡張できる構造のものであり、他に比較する技術はないものである。
【特許文献１】特開２００３−３２１９８７号公報（第３頁、図１）
【非特許文献１】「長谷川工業株式会社、脚立製品カタログ」ハセガワ、プロダクトカタログ、２００４年−２００５年、Ｐ１０、
【発明の開示】
【発明が解決しようとする課題】
【０００３】従来の脚立は、脚部幅が固定式のため、各段限定された幅員内で、足場板を階段状に架設するには不向きであった、また、高所作業時も上段或いは、中段のみの架設で利便性に欠け、上下降時は架設した足場板が足元の邪魔となり転倒する危険性を含んでいた。
【課題を解決するための手段】
【０００４】本発明は、上記事情により鑑みてなされたもので、脚立脚部をスライド拡張して、容易に足場板を階段状に架設することができ、利便性と安全性にも考慮されたものである。
【発明の効果】
【０００５】このようにすれば、脚立間どうしに足場板を階段状に架設することができ、高所作業の天井施行時には、高低差を利用して資材を頭で支え、また、手で保持することができ、無理な姿勢の開放と、上下降時は足場板より直接可能となり、安全面に於いても貢献するものである、また、脚部を格納した場合は、従来の脚立と同使用、同サイズの収容を可能にしている。
【発明を実施するための最良の形態】
【０００６】本発明は、建設現場等の作業効率と、安全性について考慮されたものである、それを図面について説明すれば、鋼管またはアルミパイプ等で、左右対称の脚立本体１をつくり脚立本体１最上部外側へ蝶番４を個々に取付け、脚立本体１の中段下面へスライド脚２の固定蝶捻子６用ナット５を取付け、固定蝶捻子６をナット５に組立てる、また、脚立本体１下段中央寄りへ、開閉保持金具３の振れ止め７を取付ける、次に、鋼管または、アルミパイプ等で、左右対称のスライド脚２と開閉保持金具３をつくり、脚立本体１の下段部へ、保持金具３を振れ止め７位置迄はめ込み、反対側へ振れ止め７を取付け移動防止をする、同様に、脚立本体１の中段部と下段部へスライド脚２の中段部と下段部を挿入して固定蝶捻子６で固定する、また、脚立本体１の最上部に取付けた蝶番４を個々にあわせ丸鋲８にて組立てる。本発明は、以上のような構造であるから、従来の使用方法は勿論、拡張できる脚部により、多様な使用方法を可能にしたものである。
【図面の簡単な説明】
【０００７】
【図１】スライド拡張脚立の平面図、正面図、側面図である。
【図２】開閉保持金具の可動図及び、側面図、正面図である。
【図３】脚立本体の平面図、正面図、側面図である。
【図４】スライド脚の正面図、側面図、底面図である。
【図５】スライド拡張脚立の組立て図である。
【図６】スライド拡張脚立の使用参考斜視図である。
【符号の説明】
【０００８】１    脚立本体
２    スライド脚
３    開閉保持金具
４    蝶番
５    ナット
６    固定蝶捻子
７    振れ止め
８    丸鋲
【図１】
2006274779.tif 000003
【図２】
2006274779.tif 000004
【図３】
2006274779.tif 000005
【図４】
2006274779.tif 000006
【図５】
2006274779.tif 000007
【図６】
2006274779.tif 000008
(57)【要約】【課題】従来の間仕切り具は、組み立てる手間や間仕切りを試みる際に間仕切りの数や形状が大方固定してあるものであり、簡易的に利用者が自由自在に間仕切りを行う事ができる物ではなかった。又、間仕切りを試みる空間の形状に左右されそれに合った間仕切り具が必要であり経済的負担が大きい。形状、角が直角なため、安全性の面でも欠けていた。【解決手段】従来の間仕切り具にない新規性のすだれ形状にする事で、一筆書きの要領を利用し間仕切りを試みたい空間にたいして簡易的に自由度の高い間仕切りを実現する事が可能で、経済的負担の軽減、安全性の高い間仕切り具を提供することができる。【選択図】図１
2006274771.tif 000002
【特許請求の範囲】
【請求項１】
可変型のすだれ形状の間仕切り具であって、一筆書きの要領を利用し間仕切りを試みる空間を自由自在に間仕切る事を可能とする間仕切り具である。
【請求項２】
前期間仕切り具の強度を補強する為、底面補助具を利用する事を特徴とする請求項１の可変型のすだれ形状の間仕切り具。
【発明の詳細な説明】
【技術分野】
【０００１】本発明は、間仕切りを試みたい空間に対して間仕切りの大きさ、仕切り空間の数を自由自在に簡易的に空間を間仕切る事を可能とするすだれ形状の新規の可変型間仕切り具である。
【背景技術】
【０００２】従来の間仕切り具には、板状に切り込みをいれたもので組み立てるものが主流である。（例えば、特許文献１参照。）【０００３】従来の技術は、間仕切りを試みる空間に大きく左右されていた。又、間仕切り具自体が複雑であり組み立てるという手間が発生していた。間仕切りの数や形状は大方決定しており自由性に欠けていた。【０００４】
【特許文献１】特開平２００３−２４１５７号
【発明の開示】
【発明が解決しようとする課題】
【０００５】以上にも述べた従来の技術は簡易的ではなく、組み立てる手間や間仕切りを試みる際に間仕切りの数や形状が大方固定してあるものであり、簡易的に利用者が自由自在に間仕切りを行う事ができる物ではなかった。又、間仕切りを試みる空間の形状に左右されそれに合った間仕切り具が必要であり経済的負担が大きい。形状、角が直角なため、安全性の面でも欠けていた。【０００６】本発明は、このような従来の構成が有していた問題を解決しようとするものであり、簡易性、安全性、経済的負担の軽減、利用者が思う空間に対しての間仕切りの自由度を向上を目的とするものである。
【課題を解決するための手段】
【０００７】そして、本発明は上記目的を達成するために新規のすだれ形状を利用し間仕切りを試みる空間に左右されず、利用者が思う間仕切りの間仕切りたい数、形状を実現する事を可能とする。【０００８】形状としては棒状又は板状が連なるすだれ形状であり。間仕切りを固定する為の雄・雌の突起がある。又、請求項２の補助具を本発明接触する底部に固定する事で強度を保つ。底面補助具は実施されるシーンにおいて対応できるだけの形状を用意する。素材にキャストナイロン、超高分子量ポリエチレン、ポリアセタール、ナイロン、ふっ素樹脂、ウレタン、ポリカーボネイト、ポロプロピレン、ポリエチレン、ＡＢＳ樹脂、塩化ビニル樹脂、アクリル樹脂、フェノール樹脂当のプラスチック素材を利用し、どの角度でもどの長さ・大きさでも空間を間仕切る事がで、角部は直角ではなく丸くしてやることで安全性を向上させ上記問題を解決する事ができる。【０００９】一筆書きの要領を利用する事により、可変性の向上、経済的負担の軽減、省スペースを実現する事が可能となる。
【発明の効果】
【００１０】上述したように本発明の可変型間仕切り具は、新規型のすだれ形状であり、間仕切りを試みたい空間に対して簡易的に自由度の高い間仕切りを実現する事が可能である。本発明はすだれ形状であり、間仕切りを試みたい空間の大きさ、長さに対して本発明の大きさ、横・縦の長さを切断する事ができ調節できる。折り曲げる箇所、又は切断箇所は厚みを薄くし容易に折り曲げ、切断が可能。収納タンス・引き出し等から家、オフィスの間仕切りまで幅広く利用する事が可能であり自由度の高い間仕切り効果を発揮する。使用しない場合は、すだれ形状の活用して丸めて収納しておくことができる。
【発明を実施するための最良の形態】
【００１１】以下、本発明の実施を図１に基づいて説明する。【００１２】図１、１は本発明本体。２は固定具雌。３は固定具雄。４は底面具である。
【実施例】
【００１３】間仕切りを試みたい空間に本発明の先端から、間仕切る大きさ・形状に合わせて仕切っていく。すだれ形状を生かして仕切りたい箇所で曲げる。この際、曲げる場合はそのままでよいが、本発明同士が接着する場合は、図１の３を図１の２にはめ込み固定する。長さ等で本発明に余りがでる場合は折り曲げて収納、又は切断する。
【図面の簡単な説明】
【００１４】
【図１】本発明、正面全体図である。
【図２】本発明、実施上面図である。
【図３】本発明、請求項２の強度補助具である。
【符号の説明】
【００１５】１、本発明本体
２、固定具雌
３、固定具雄
４、補助底面具本体
５、差込部
【図１】
2006274771.tif 000003
【図２】
2006274771.tif 000004
【図３】
2006274771.tif 000005
(57)【要約】      （修正有）【課題】ロ−タリ−式の錠を提供する。【解決手段】従来の窓の錠に補助錠を設け、本体錠に合わせ、つまみ部に帯をトメネジで固定する、本体の錠を外ずと同時に補助錠がすぐにロックするロータリー式の錠である。【選択図】図１
2006274778.tif 000002
【特許請求の範囲】
【請求項１】
錠本体の片側にまるみが異なる補助錠を設け、本体錠から成るつまみ部と補助錠から成るつまみ部を合わせネジ穴を設けた帯を差し、止めネジで帯を固定し、その上部の円形部を内側から、外側のカギに合わせ開け閉めする開口部を設け、２個の錠の開口部は微妙な位置で本体錠、補助錠のひとつがロックすることを特徴とするロ−タリ−式の錠。
【発明の詳細な説明】
【技術分野】
【０００１】本発明は本体錠から成るつまみ部と補助錠から成るつまみ部に帯を差し固定し窓ガラスを２重ロックできるロ−タリ−式の錠に関する。
【背景技術】
【０００２】  従来は窓枠の上下付ける別々の錠はあった。
【発明の開示】
【発明が解決しようとする課題】
【０００３】  そのために、次のような問題点があった。
（イ）窓は閉めたが掛け忘れが心配だった。
（ロ）窓からの侵入が多発している。
本発明は、これらの問題点を解決するためになされたものである。
【課題を解決するための手段】
【０００４】錠本体に、補助錠を組み合わせ、上部にまるみが異なる開口部を設け本体錠から成るつまみ部と補助錠から成るつまみを合わせネジ穴を設け、つまみ部に止めネジで帯を固定し内側から回転させ外カギに合わせる開口部を設け。２個の錠の開口部は微妙な位置でひとつがロックする。まるみの異なる錠を設けた。以上特徴とするロ−タリ−式の錠である。
【発明の効果】
【０００５】ロータリー式の錠の開口部を外カギに合わせ窓を開けるため２重錠のため１を外しても微妙な誤差で２が掛かる掛け忘れのない、安全な防犯用のロ−タリ−式の錠である
【発明を実施するための最良の形態】
【０００６】  以下、本発明の実施の形態について説明する。
（イ）本体錠（１）から成るつまみ部（５）に補助錠（２）から成るつまみ設けネジ穴（４）のついた帯（３）設け、止めネジで固定するネジ穴（４）を設ける。本発明は窓ガラス用ロ−タリ−式の錠を提供する。
【図面の簡単な説明】
【０００７】
【図１】本発明の斜視図
【図２】本発明の補助錠の斜視図
【符号の説明】
【０００８】      １  本体錠
２  補助錠
３  帯
４  ネジ穴
５  つまみ部
６  つまみ部
７  ネジ穴
【図１】
2006274778.tif 000003
【図２】
2006274778.tif 000004
(57)【要約】【課題】  従来の保護フィルムを貼付する方法では、ガラスのみと比較すれば改善されているとは言え、金槌で容易に割って進入することができる。また、フィルムを貼る手間がかかる。また、金網入りのガラスは、確かに金網によって保護はされているが、ガラスを割った後ペンチ等で簡単に切断できる。最後の合わせガラスは効果は比較的大きいものの高価すぎて一般の家屋のすべてのガラス窓に使用することは困難である。そこで、比較的安価で、且つ防犯性に優れたガラス窓を提供する。【解決手段】  ガラス窓のガラスをはめ込むべき枠体に、ガラス板とポリカーボネート樹脂板とを接着せずに合わせてはめ込んだもの。【選択図】  図１
2006274533.tif 000002
【特許請求の範囲】
【請求項１】
ガラス窓のガラスをはめ込むべき枠体に、ガラス板とポリカーボネート樹脂板とを接着せずに合わせてはめ込んだことを特徴とするガラス窓。
【請求項２】
該ポリカーボネート樹脂板は透明で１ｍｍ以上の厚みである請求項１記載のガラス窓。
【請求項３】
ガラス板が外界に面するように組み合わせたした請求項１又は２記載のガラス窓。
【発明の詳細な説明】
【技術分野】
【０００１】
本発明は、ガラス窓に関するものである。
【背景技術】
【０００２】
ガラス窓は光を取り入れ室内を明るくするだけでなく、周囲の景色を見るためにも家、部屋には必須のものと言える。
しかし、ガラス自体は容易に割れるという性質のため、防犯の点から問題であった。即ち、どのような施錠を行ってもガラスを割られると簡単に進入できるのである。
【０００３】
そこで、最近では、ガラスが割れないように、また割れた場合にも進入できないように種々工夫されてきている。
例えば、ガラス面に保護フィルムを貼る方法である。これだけでも、簡単に割れなくなる。
【０００４】
また、金網入りのガラスもある。これは中間に金網を入れたもので、金槌で打撃した場合、ガラスは割れるが網が残るためそれだけでは進入できない。
また、自動車のフロントガラスのような合わせガラスを用いることもできる。これは２枚のガラス板の中間にプラスチックフィルムを挟んだものである。これは衝撃にも強く、進入できるだけの穴を開けることも相当に難しい。
【発明の開示】
【発明が解決しようとする課題】
【０００５】
しかしながら、このような従来のものは次のような欠点があった。
保護フィルムを貼付する方法では、ガラスのみと比較すれば改善されているとは言え、金槌で容易に割って進入することができる。また、フィルムを貼る手間がかかる。
【０００６】
また、金網入りのガラスは、確かに金網によって保護はされているが、ガラスを割った後ペンチ等で簡単に切断できる。最後の合わせガラスは効果は比較的大きいものの高価すぎて一般の家屋のすべてのガラス窓に使用することは困難である。
【０００７】
そこで、比較的安価で、且つ防犯性に優れたガラス窓を提供する。
【課題を解決するための手段】
【０００８】
以上のような状況に鑑み、本発明者は鋭意研究の結果本発明ガラス窓を完成させたものであり、その特徴とするところは、ガラス窓のガラスをはめ込むべき枠体に、ガラス板とポリカーボネート樹脂板とを接着せずに合わせてはめ込んだ点にある。
【０００９】
ここで、ガラス窓とは、いわゆる窓であり、少なくともある程度光が通過して外が見えるものである。大きさは自由であり、窓と呼べないような人が出入りするところのものや、非常に大きいもの、ドアのように回転式のものでもよい。即ち、１×１ｍのような比較的小さなものや、２×２ｍのような大きなものでも可能であり、大きさは限定しない。
【００１０】
ガラス窓のガラスをはめ込むべき枠体とは、通常の窓枠、その他ガラス板がはめ込めるものであればよい。アルミ製、木製等材質は問わない。
【００１１】
ガラス板とは、通常のガラスの板でよく、透明でも半透明でよい。模様があってもなくてもよい。また、フィルムを貼付したものや金網を入れたもの等加工したガラスでもよい。厚みは自由であり通常通りでよい。限定はしないが、２〜６ｍｍ程度である。
【００１２】
ポリカーボネート樹脂は、通常のものでよく、市販されているものでもよい。透明でも不透明でもよい。厚みとしては、１ｍｍ以上１０ｍｍ以下であるが、２〜４ｍｍのものが好適である。これも板の大きさとの兼ね合いであり、限定するものではない。窓が大きくなれば厚くなるのは当然である。
【００１３】
このガラス板とポリカーボネート樹脂板とを合わせて１つの枠にはめ込むのが本発明である。特にはめ込むときに接着しないのがポイントである。従来のフィルムや金網を使用するようなものはすべて接着又は埋め込みである。これを、本発明では単に一緒にはめるだけにしたのである。
【００１４】
接着しない理由は、接着したときもしないときも金槌等での破壊時間はほとんど変わらなかったためである。即ち、接着するだけでその手間によってコストアップになる。また、接着していないため、中間に空気層ができ、断熱効果が大きくなる。遮音効果も大きくなった。これが大きな特徴である。
【００１５】
ガラス板とポリカーボネート樹脂板とは、どちらを外側にして入れてもよいが、ガラスの方が硬度が高いため、傷付防止にはガラスを外側にして方がよい。
【００１６】
また、ガラス板とポリカーボネート樹脂板はどちらも１枚づつでよいが、複数枚でもよい。例えば、ガラス板２枚の中心にポリカーボネート樹脂板を入れたようなサンドイッチ状のもの等である。
【発明の効果】
【００１７】
本発明ガラス窓には次のような大きな利点がある。
（１）  ポリカーボネート樹脂板が非常に割れにくいため、防犯効果は非常に大きい。
（２）  ガラスとポリカーボネート樹脂板が接着されていないため、わずかでも中間に空気層ができるため、断熱効果、遮音効果が大きい。
（３）  ガラスとポリカーボネート樹脂板が接着されていないため、ガラスが割れた場合に、安価なガラス板だけを簡単に交換できるため、経費節減になる。合わせガラスや網入りガラスの場合は、高価な全体を入れ替えるしかない。
（４）  窓枠自体は従来のものが使用できる。コーキングの量で調整できる。勿論、溝の幅の大きいものに変えてもよい。
【発明を実施するための最良の形態】
【００１８】
以下本発明を実施例に沿ってより詳細に説明する。
【実施例】
【００１９】
図１は、本発明のガラス窓１の１例を示す部分斜視図である。枠２の溝３内にガラス板４とポリカーボネート板５が接着されずにはめ込まれている。はめ込み方や固定の方法は従来通りでよい。
【００２０】
図２は、上記したサンドイッチ構造の例の断面図である。中心にポリカーボネート樹脂板４があり、表裏にガラス板５が位置している。
【図面の簡単な説明】
【００２１】
【図１】本発明のガラス窓１の１例を示す部分斜視図である。
【図２】サンドイッチ構造の例の断面図である。
【符号の説明】
【００２２】
１  ガラス窓
２  枠
３  溝
４  ポリカーボネート樹脂板
５  ガラス板
【図１】
2006274533.tif 000003
【図２】
2006274533.tif 000004
(57)【要約】【課題】スラックスのベルト部分を腰より上部に固定させるにつき、肩に負担をかけず、また、外部から目視出来ないベルトを提供する。【解決手段】人体の腰に直接に（又は下着上の腰部に）ベルトを巻いて固定し、ベルトから上方へ突き出る支えの上部に着いたクリップ式留金具でスラックスの先端を挟み、内側から持ち上げる。スラックスの外部ベルトループには通常通りベルトを装着する事で更に安定性を増す事が出来る。【選択図】図１
2006274524.tif 000002
【特許請求の範囲】
【請求項１】
インナーベルトに上向きの支えを数か所設け、その上部にクリップ式留金具を設けた持ち上げ式つりバンド。
【発明の詳細な説明】
【発明の詳細な説明】
【技術分野】
【０００１】  この発明は、人体の腰に直接に（又は下着上の腰部に）ベルトを巻いて固定し、ベルトから上方へ突き出る支えの上部に着いたクリップ式留金具でスラックスの先端を挟み、内側から持ち上げる「持ち上げ式つりバンド」に関するものである。
【背景技術】
【０００２】  従来、スラックスの先端をクリップ式留金具で挟み、肩を経由して上部から吊り上げるサスペンダーであった。
【発明が解決しようとする課題】
【０００３】  従来のサスペンダーには次のような欠点があった。
（イ）  肩でつり上げて支えるため肩がこる。
（ロ）  夏場等、薄着の時は目視されるため見栄えが良くない。
本発明は、以上のような欠点を失くすためになされたものである。
【課題を解決するための手段】
【０００４】  人体の腰に直接に（又は下着上の腰部に）ベルトを巻いて固定し、ベルトから上方へ突き出る支えの上部に着いたクリップ式留金具でスラックスの先端を挟み、内側から持ち上げる。
【発明を実施するための最良の形態】
【０００５】  以下、本発明の実施の形態について説明する。
ベルト（１）に柔軟性及び固定性ある素材の支え（２）を固定する。支え（２）の先端にスラックスの上部を挟むクリップ式留金具（３）を設ける。
本発明は、以上のような構造でこれを使用するときは、スラックスの外部ベルトループには通常のベルトを装着し併用する事で更に安定性を増す事が出来る。
【発明の効果】
【０００６】  スラックスを肩で吊るすのではなく、腰で持ち上げる方式のため通常通りスラックスを履く場合と同じ負担で済み、肩がこらずに腰よりも上部でベルト位置を固定する事が出来る。さらには外部から目視出来ないので見栄えが良い。
【図面の簡単な説明】
【図１】  本発明の立体図である。
【図２】  本発明の分解図である。
【符号の説明】
１  ベルト
２  支え
３  クリップ式留金具
【図１】
2006274524.tif 000003
【図２】
2006274524.tif 000004
(57)【要約】【課題】家事や各作業で用いるゴム手袋の形状は、その作業を終え収納する時に、バケツの側面やタオル掛けバー等に折り掛けて収納する場合が多く、ゴム手袋本体が伸びたままの状態で容易に収納できない。【解決手段】ゴム手袋本体１に突起部分２を設け、突起部分２にフック掛け用穴３を設ける。【選択図】図１
2006274522.tif 000002
【特許請求の範囲】
【請求項１】
腕周りにフック掛け用穴を設けたことを特徴とするゴム手袋。
【請求項２】
前記フック掛け用の穴は、ゴム手袋本体と同素材の突起部分に開けることを特徴とする請求項１記載のゴム手袋。
【発明の詳細な説明】
【技術分野】
【０００１】  この発明は、ゴム手袋の収納の形状に関する。
【背景技術】
【０００２】  従来のゴム手袋の形状は、図２に示すように、ゴム手袋本体にはフック掛けに使用できる穴が何も付いていない。
【発明の開示】
【発明が解決しようとする課題】
【０００３】しかしながら、以上の技術によれば、収納時の収納場所が、バケツの側面やタオル掛けバー等に折り掛けて収納しておくしかなかった。
そこで、この発明は、収納時に容易にフックに掛けてゴム手袋本体を折らずに吊るして収納できることを提供することを課題とする。
【課題を解決するための手段】
【０００４】  以上の課題を解決するために、第一発明は、腕周りにフック掛け用の穴を設けたことを特徴とするゴム手袋である。
また、第二発明は、フック掛け用穴を設け、この穴の付いた突起部分はゴム手袋本体表地と同素材であることを特徴とするゴム手袋である。
【発明の効果】
【０００５】  第一発明、または第二発明によれば、ゴム手袋腕周りにフック掛け用の穴を設けたことで、容易にフックに掛けて吊るして収納することができる。
【発明を実施するための最良の形態】
【０００６】  この発明の一実施形態を、図１に示す。
ゴム手袋本体の腕周り端付近に同素材の突起部分２が設けられている。この突起部分２に円状の穴３が設けられている。【０００７】「実施形態の効果」
この実施形態によれば、ゴム手袋本体の効果を損なうことなく、突起部分２に設けられた穴３の働きで用意にフックに掛けて収納することができる。【０００８】「他の実施形態」
図１の実施形態では、フック掛けは、ゴム手袋本体表地と同素材の突起部分２のような四角い形状のものであったが、他の実施形態では、突起部分２の形状は三角形や円弧形状のものでも良い。
【図面の簡単な説明】
【０００９】
【図１】この発明の一実施形態を示す斜視図である。
【図２】従来技術を示す斜視図である。
【符号の説明】
【００１０】  １  ゴム手袋本体            ２  突起部分（フック掛け用穴３のための）
３  穴３（フック掛け穴）
【図１】
2006274522.tif 000003
【図２】
2006274522.tif 000004
(57)【要約】【課題】水路内の作業者が、清掃作業等を行なう場合の転倒を防止する。【解決手段】パネル材３、４で内底面と内側面を内張りした水路１において、水路１の内底面をなすパネル材３の上面に滑り止め用の凹凸５ａ、５ｂを形成した。【選択図】図１
2006274582.tif 000002
【特許請求の範囲】
【請求項１】
パネル材で内底面と内側面を内張りした水路において、前記水路の内底面をなすパネル材の上面に滑り止め用の凹凸を形成したことを特徴とする水路。
【請求項２】
前記パネル材が、ＦＲＰ板であることを特徴とする請求項１に記載の水路。
【請求項３】
前記滑り止め用の凹凸が、連続する平坦部とその平坦部上に散在する多数の隆起部とからなる請求項１または２に記載の水路。
【発明の詳細な説明】
【技術分野】
【０００１】
この発明は、農業用水路、排水路、暗渠などの水路に関する。
【背景技術】
【０００２】
農業用水路や排水路などの水路として、既設の水路の内面にＦＲＰ板を取り付けて補修した水路など、ＦＲＰ板で内底面と内側面を内張りして水を流れやすくしたものが知られている（特許文献１）。
【０００３】
しかし、一般的にＦＲＰ板は、表面が滑らかなので藻や汚泥が付着すると滑りやすい。そのため、ＦＲＰ板で内張りした水路の底は滑りやすく、水路の清掃作業など水路内で行なう作業が危険であった。
【０００４】
【特許文献１】特開平３−２４７８０９号公報
【発明の開示】
【発明が解決しようとする課題】
【０００５】
この発明は、水路内の作業者の転倒を防止することを課題とする。
【課題を解決するための手段】
【０００６】
上記の課題を解決するために、水路の内底面をなすパネル材の上面に滑り止め用の凹凸を形成した。このパネル材は、ＦＲＰ板とすると好ましい。また、滑り止め用の凹凸は、連続する平坦部とその平坦部上に散在する多数の隆起部とで構成すると好ましい。
【発明の効果】
【０００７】
水路内に立つとパネル材の上面の凸部が足裏に食い込む。しかも、藻や汚泥は凸部よりも凹部に溜まりやすいので、凸部と足裏の間に藻や汚泥が挟まりにくい。この２つの作用により、水路内での足の滑りが効果的に防止される。そのため、水路内の作業者は転倒しにくく、安全に作業をすることができる。
【発明を実施するための最良の形態】
【０００８】
図１に、この発明の水路の実施形態を示す。この水路１は、既設水路２をパネル材で補修してなり、内底面がパネル材３で、内側面がパネル材４でそれぞれ内張りされている。
【０００９】
内底面のパネル材３は、図２に示すように上面に滑り止め用の凹凸が形成されている。この凹凸は凸部５ａと凹部５ｂとからなり、上に立つと凸部５ａが足裏に食い込む。
【００１０】
一方、内側面のパネル材４は、露出面が平らに形成されており、水路１を流れる水の抵抗を最小限に抑えている。
【００１１】
この水路１は、たとえば次のように形成することができる。まず、図１に示すように、既設水路２の内底面にモルタル６を打ち込む。つぎに、固化する前のモルタル６の上に凹凸を上面としてパネル材３を敷き、その上面を加圧してパネル材３のレベル出しを行なう。つづいて、既設水路２の内側面にスペーサ７をアンカー止めし、そのスペーサ７にパネル材４をねじ止めする。その後、ねじ止めしたパネル材４と既設水路２の内側面の間にセメントミルク８を打ち込む。
【００１２】
この水路１を用いれば、内底面のパネル材３の上面の凸部５ａが水路内の作業者の足裏に食い込む。しかも、藻や汚泥は凸部５ａよりも凹部５ｂに溜まりやすいので、凸部５ａと足裏の間に藻や汚泥が挟まりにくい。この２つの作用により、水路１内での足の滑りが効果的に防止される。そのため、水路１内の作業者が清掃作業等を行なう場合には転倒しにくく、安全に作業をすることができる。また、水路の水の流れは、底に近いほど遅いので、パネル材３の凹凸から受ける影響が小さい。
【００１３】
パネル材３の上面の凹凸は、たとえばパネル材３の上面に等間隔に溝を形成してその溝で凹部５ｂを構成し、溝と溝の間の部分で凸部５ａを構成してもよい。しかし、図２に示すように、凸部５ａを、散在する多数の隆起部で構成するとともに、凹部５ｂを、連続する平坦部で構成するとより好ましい。このように凹凸を形成すると、平坦な凹部５ｂに沿って水が流れるので、水の流れに対する凹凸の影響をより小さく抑えることができる。しかも、散在する凸部５ａが足裏に対して確実に食い込むので、足の滑りをより確実に防止することができる。凸部５ａは、たとえば図２に示すように平面視Ｘ状に隆起させて形成してもよく、また図３に示すように、平面視楕円状に隆起させて形成してもよい。
【００１４】
パネル材３は、ＦＲＰ板で構成すると好ましい。ＦＲＰ板で構成すると、水路の内面が滑らかとなって、水がより流れやすくなるとともに、藻や汚泥が溜まりにくくなる。このときＦＲＰ板は、たとえば図２に示すように樹脂モルタル層３ａをＦＲＰ層３ｂで挟み込んだ構造としてもよく、また図３に示すようにＦＲＰの単層３ｃで構成してもよく、表面層がＦＲＰであればよい。ＦＲＰとしては、ガラス繊維強化プラスチック（ＧＦＲＰ）やカーボン繊維強化プラスチック（ＣＦＲＰ）、ケプラ繊維強化プラスチック（ＫＦＲＰ）などが挙げられる。パネル材としては、ＦＲＴＰ板など他の樹脂系パネル材を用いることもできる。
【００１５】
上記実施形態では、水路１として上部を開放した開渠を挙げて説明したが、水路は上部が閉じた暗渠でもよく、清掃作業や点検作業などで人が立ち入る水路であればよい。
【００１６】
上記実施形態では、パネル材３は、モルタル６を介して既設水路２に取り付けたが、既設水路２の内底面に直接アンカー止めしてもよい。また、水路１は新設でもよい。
【図面の簡単な説明】
【００１７】
【図１】この発明の実施形態の水路を示す断面図
【図２】同上の水路の内底面をなすパネル材の一部拡大斜視図
【図３】同上の水路の内底面をなすパネル材の変形例を示す図
【符号の説明】
【００１８】
１      水路
２      既設水路
３、４  パネル材
５ａ    凸部
５ｂ    凹部
【図１】
2006274582.tif 000003
【図２】
2006274582.tif 000004
【図３】
2006274582.tif 000005
(57)【要約】【課題】一般に大きな波高の時は、波が砕波して超音波式が使えなく、水圧波に表面波換算デジタルフィルタを用いて、表面波に換算して、波高を求める。解決しようとする問題点は、たまに現れる精度の悪い水圧波から表面は変換を回避することである。【解決手段】一般に、２０分間のデータを処理して波高が計算される。この２０分間において、砕波した場合でも、超音波波形が正常に計測されている箇所が存在する。この超音波波形が正常な部分の波形と、水圧波から変換して得られた表面波がよく一致するように表面波変換デジタルフィルタの特性を決定し、決定したデジタルフィルタを用いて水圧波を表面波に変換する。【特許請求の範囲】
【請求項１】
水圧センサーを有する超音波式波高計で、砕波等により超音波波形が乱れ、水圧波形を用いて波高を求める場合において、正常な部分の超音波波形と、水圧波波形から変換して得られた表面波波形がよく一致するように水圧波波形を表面波波形に変換するデジタルフィルタを決定し、決定したデジタルフィルタを用いて水圧波を表面波に変換する手法。
【請求項２】
請求項１で規定する水圧波を表面波に変換する手法を用いた波高計。
【請求項３】
請求項１で規定する水圧波を表面波に変換する手法を用いた波高解析ソフトウエア。
【発明の詳細な説明】
【技術分野】
【０００１】本発明は、波高を検知するための、波高計に関する。
【背景技術】
【０００２】一般に用いられている超音波式波高計は、海底に設置し、海面までの距離を超音波で計測するものである。しかし、強風などにより、波が砕波すると、海中に気泡が発生し、正しく計測されない現象がおこる。この場合は、内蔵する水圧計で得られる水圧波をデジタルフィルタで表面波に換算し、波高を計算する（例えば、特許文献１参照。）。これに用いられるデジタルフィルタの周波数特性は、一般に一定の周波数特性を持っているものが使われている。この方法で、ほとんどの場合、実用的な波高が得られる。しかし、たまに、大きく異なる波高を示す場合が見られる。これは、水圧データが非線形となる周波数領域にたいしても線形と扱っているからである。
【特許文献１】特開平１０−１４１９５３公報
【非特許文献１】「潮位を測る」、沿岸開発技術センター、２００２年、ｐ．１４５
【発明の開示】
【発明が解決しようとする課題】
【０００３】一般に大きな波高の時は、波が砕波して超音波式が使えなく、水圧波を使うことが多い。このため、水圧波による波高計測が重要である。このため、水圧波よる波高観測も、常に正しい波高を出力する必要がある。解決しようとする問題点は、たまに現れる精度の悪い波高変換を回避することである。
【課題を解決するための手段】
【０００４】一般に、２０分間のデータを処理して波高が計算される。
この２０分間において、砕波した場合でも、超音波波形が正常に計測されている箇所が存在する。この超音波波形が正常な部分の波形と、水圧波から変換して得られた表面波がよく一致するように水圧波を表面波に変換することで、上述の課題が解決できる。すなわち、正常な超音波波形と、水圧波変換表面波が一致するように、デジタルフィルタを決定し、決定したデジタルフィルタを用いて水圧波を表面波に変換する。【０００５】この発明の実施は、超音波式波高計および水圧計による波高計データ、コンピュータおよびソフトウエアを用いて実施される。ソフトウエアは、▲１▼超音波による波高の波形と水圧波から変換した表面波のデータを重ねて表示する等の波形比較機能、▲２▼水圧波から表面波に変換するデジタルフィルタの特性を可変できる機能、▲３▼水圧波から定めたデジタルフィルタの特性を用いて表面波に変換する機能、これらの３機能を繰り返し、試行錯誤できる機能を有している。【０００６】まず、標準の圧力表面波変換フィルタを通した水圧波変換表面波を計算し、それと、超音波波形を重ねて表示する。次に、その表示の中で、超音波波形が正しく計測されている場所を探し、水圧波変換表面波との比較を行う。もし、一致してない場合は、デジタルフィルタ特性設定画面に移動し、最大補正倍率と変換最大周波数を定めて、その特性を持つデジタルフィルタで再度水圧波変換表面波の計算を実施する。そして、再び、超音波波形を重ねて表示し、前述の手順を繰り返す。このようにして、超音波波形が正しく計測されている場所で、超音波波形と水圧波変換表面波が最もよく一致するように、デジタルフィルタ特性を決定する。次に、この決定したデジタルフィルタ特性をもつデジタルフィルタで水圧波から表面波を計算し、波高の波形とする。
【発明の効果】
【０００７】本発明により、水圧式波高計による波高値があらゆる場合に正確になる。
また、一部分ではあるが、超音波による波高波形との一致の程度を示せるので、変換の妥当性を示すことができる。
【発明を実施するための最良の形態】
【０００８】波高計は、一般にケーブル式と呼ばれるものと、直記録式波高計と呼ばれるものがある。前者は、波高計と陸上の施設とをケーブルで繋ぐもので、リアルタイムに波形データを入手することができる。後者は、波高計内にデータを記録するメモリーを有していているもので、数ヶ月間、海底に設置して置き、回収し、回収したメモリーのデータから、設置していた間の波高を計測するものである。【０００９】一般に、リアルタイムの波高が要求される場合と要求されない場合がある。
リアルタイムの波高が要求される実施例としては、上述のデジタルフィルタ特性の決定をコンピュータが行い、解析する。また、リアルタイムの波高が要求されない実施例としては、上述のデジタルフィルタ特性の決定を人が行い、人が解析する。すなわち、実施例としては、大きく２つ実施の仕方が考えられる。１つは、この試行錯誤をコンピュータが行う場合と、もう一つは、人間が行う場合である。
(57)【要約】【課題】盲導犬は高価でかつ数が大変少ないため、その代替として馬を訓練しているような現状にかんがみ、安価で希望者全員に提供できる盲導ナビゲ−タ−を実現する。【解決手段】ヘッドホンスタイルの上部にＧＰＳ（全地球即位システム）アンテナを設置し、両脇の一方に盲導ナビゲ−ションシステムを配し、他方にスピ−カ−を配し、更にリチュウムイオン充電電池を電源とした電源ケ−スをコ−ドで本体に接続し、また、マイクを本体に接続することによって、行き先、登録の要否、機器からの確認等全て音声で行えるようにした。更に、雨天の時の外出のため、上部にＧＰＳアンテナを設置した専用の雨傘をコ−ドで、本体に接続できるようにした。なお、盲導ナビゲ−ションシステムを小型化するため、地図ソフトを全国８地域即ち関東、関西、東北、北海道、中部、中国、四国九州に分割し８枚のＭＤに収録する。【選択図】図１
2006208345.tif 000002
【特許請求の範囲】
【請求項１】
目の不自由な方々は通常白い杖を手に持っているので、手になるべく負担をかけないようにするため、ヘッドホンスタイルにまとめ、その上部にＧＰＳ（全地球即位システム）アンテナを設置し、現在位置を確認し、行き先等を入力するマイクを通じて指示、登録、確認等全て音声で行えるようにし、また、ヘッドホンスタイルの両脇の一方に盲導ナビゲ−ションシステムを配し、他方にスビ−カ−を配し、更に、リチュウムイオン充電電池を電源とした電源ケ−スをコ−ドで本体に接続した盲導ナビゲ−タ−。
【請求項２】
雨天の時の外出を考慮し、ＧＰＳアンテナを上部に設置し、コ−ドで本体に接続できる雨傘を付設した盲導ナビゲ−タ−。
【発明の詳細な説明】
【技術分野】
【０００１】本発明は、盲導犬の不足を補うための盲導ナビゲ−タ−に関する。
【背景技術】
【０００２】従来盲人用のナビゲ−ションシステムがなかった。
【発明の開示】
【発明が解決しようとする課題】
【０００３】  盲導犬は高価でかつ数が少ないため目の不自由な方々に安価で安全な盲導ナビゲ−タ−を希望者全員に供給できるようにすることを目的とするものである。
【課題を解決するための手段】
【０００４】  ヘッドホンスタイルの頂上にＧＰＳ（全地球即位システム）アンテナを設置する。【０００５】  ヘッドホンスタイルの一方に盲導ナビゲ−ションシステムを設置する。【０００６】  もう一方にスピ−カ−を設置する。【０００７】  電源はリチュウムイオン充電電池（ケ−ス付）をコ−ドで接続する。【０００８】  地図ソフトは全国を８地域すなわち関東、関西、東北、北海道、中部、中国、四国、九州に分割し８枚のＭＤに収録する。【０００９】  行き先、登録の要否、機器からの確認等全て音声で行う。【００１０】  また、雨天の時はＧＰＳアンテナを頂上に設置した専用の雨傘をコ−ドで接続する。
【発明の効果】
【００１１】  盲導犬の不足を解消し、目の不自由な方々も安全に外出でき福祉上の効果が極めて大きい。
【発明を実施するための最良の形態】
【００１２】  電源ケ−スのスイッチを入れ、マイクを通して行き先を指示し、機器からの確認に対し応答し、ナビゲ−タ−の案内の音声にしたがって行動する。
【図面の簡単な説明】
【００１３】
【図１】  本発明の全体像を示す外観図
【符号の説明】
【００１４】１・・・ＧＰＳアンテナ
２・・・盲導ナビゲ−ションシステム
３・・・スピ−カ−
４・・・音声入力マイク
５・・・電源ケ−ス
６・・・電源接続端子
７・・・アンテナ接続端子
【図１】
2006208345.tif 000003